(57)【要約】      （修正有）【課題】広域放送信号と県域放送信号とから成る地上ディジタル放送信号と、アナログ放送信号とを受信するテレビジョン共同受信システムにおいてアナログ放送の受信品質を向上させる。【解決手段】少なくとも地上ディジタル放送信号を含む信号を分岐／分配する分岐／分配器３１と、分岐／分配された信号をより低い所定の周波数帯域に周波数変換する第１周波数変換装置２４と、第１周波数変換装置により変換された周波数帯域の信号から県域放送信号のみを抽出するＳＡＷフィルタ２６と、ＳＡＷフィルタにより抽出された県域放送信号をテレビジョン共同受信システムの各端末において受信し得る県域放送信号帯域に周波数変換する第２周波数変換装置２５と、第２周波数変換装置により周波数変換された県域放送信号帯域を、所定レベルに増幅する増幅器と、増幅器の出力信号を伝送路に重畳する結合／合成器とから成る地上ディジタル放送信号レベル調整装置３０である。【選択図】図２
2006179993.tif 000002
【特許請求の範囲】
【請求項１】
広域放送信号と県域放送信号とから成る地上ディジタル放送信号と、アナログ放送信号とを空間電波によりアンテナにより受信して伝送路を介して各端末に供給するテレビジョン共同受信システムにおいて用いられる地上ディジタル放送信号レベル調整装置において、
前記伝送路から少なくとも前記地上ディジタル放送信号を含む信号を分岐／分配する分岐／分配器と、
分岐／分配された信号を低い所定の周波数帯域に周波数変換する第１周波数変換装置と、
前記第１周波数変換装置により変換された周波数帯域の信号から前記県域放送信号のみを抽出するＳＡＷフィルタと、
前記ＳＡＷフィルタにより抽出された前記県域放送信号を前記テレビジョン共同受信システムの各端末において受信し得る県域放送信号帯域に周波数変換する第２周波数変換装置と、
前記第２周波数変換装置により周波数変換された県域放送信号帯域を、所定レベルに増幅する増幅器と、
前記増幅器の出力信号を前記伝送路に重畳する結合／合成器と
から成る地上ディジタル放送信号レベル調整装置。
【請求項２】
広域放送信号と県域放送信号とから成る地上ディジタル放送信号と、アナログ放送信号とを空間電波によりアンテナにより受信して伝送路を介して各端末に供給するテレビジョン共同受信システムにおいて用いられる地上ディジタル放送信号レベル調整装置において、
前記伝送路から少なくとも前記地上ディジタル放送信号を含む信号を分岐／分配する分岐／分配器と、
分岐／分配された信号を低い所定の周波数帯域に周波数変換する第１周波数変換装置と、
前記第１周波数変換装置により変換された周波数帯域の信号から前記県域放送信号のみを抽出するＳＡＷフィルタと、
前記ＳＡＷフィルタにより抽出された前記県域放送信号を所定レベルに増幅する増幅器と、
前記増幅器の出力信号を前記テレビジョン共同受信システムの各端末において受信し得る県域放送信号帯域に周波数変換する第２周波数変換装置と、
前記第２周波数変換装置の出力信号を前記伝送路に重畳する結合／合成器と
から成る地上ディジタル放送信号レベル調整装置。
【請求項３】
前記地上ディジタル放送信号レベル調整装置は、前記アンテナと、前記伝送路に挿入されたブースターのうちアンテナに最も近いブースターとの間の伝送路において挿入されることを特徴とする請求項１又は請求項２に記載の地上ディジタル放送信号レベル調整装置。
【請求項４】
前記地上ディジタル放送信号レベル調整装置は、前記アンテナと、前記地上ディジタル放送信号と前記アナログ放送信号とを混合する混合器との間の伝送路において挿入されることを特徴とする請求項１又は請求項２に記載の地上ディジタル放送信号レベル調整装置。
【請求項５】
広域放送信号と県域放送信号とから成る地上ディジタル放送信号と、アナログ放送信号とを空間電波によりアンテナにより受信して伝送路を介して各端末に供給するテレビジョン共同受信方法において、
前記伝送路から少なくとも前記地上ディジタル放送信号を含む信号を分岐／分配した後、より低い所定の周波数帯域に周波数変換し、その周波数変換された信号から前記県域放送信号のみをＳＡＷフィルタにより抽出し、前記テレビジョン共同受信システムにおける県域放送信号帯域に周波数変換して、所定レベルに増幅した後に、前記伝送路上に重畳することを特徴とするテレビジョン共同受信方法。
【請求項６】
広域放送信号と県域放送信号とから成る地上ディジタル放送信号と、アナ  ログ放送信号とを空間電波によりアンテナにより受信して伝送路を介して各端末に供給するテレビジョン共同受信方法において、
前記伝送路から少なくとも前記地上ディジタル放送信号を含む信号を分岐／分配した後、より低い所定の周波数帯域に周波数変換し、その周波数変換された信号から前記県域放送信号のみをＳＡＷフィルタにより抽出し、抽出した信号を所定レベルに増幅し、前記テレビジョン共同受信システムにおける県域放送信号帯域に周波数変換した後に、前記伝送路上に重畳することを特徴とするテレビジョン共同受信方法。
【請求項７】
前記分岐／分配及び前記重畳は、前記アンテナと、前記伝送路に挿入されたブースターのうちアンテナに最も近いブースターとの間の伝送路において実行されることを特徴とする請求項５又は請求項６に記載のテレビジョン共同受信方法。
【請求項８】
前記分岐／分配及び前記重畳は、前記アンテナと、前記地上ディジタル放送信号と前記アナログ放送信号とを混合する混合器との間の伝送路において実行されることを特徴とする請求項５又は請求項６に記載のテレビジョン共同受信方法。
【発明の詳細な説明】
【技術分野】
【０００１】
本発明は、マンション等の集合住宅や、難視聴地域における住宅の集合、商店街、学校、会社等の複数の端末を有する局所ネットワークにおいて、テレビジョン放送信号を空間電波として共同アンテナにより受信して、各端末に放送信号を供給するテレビジョン共同受信システムと、そのシステムに用いられる地上ディジタル放送信号レベル調整装置に関する。特に、県域地上ディジタル放送信号のレベルを広域地上ディジタル放送信号のレベルと均等化して、ブースターを有した伝送路に出力するようにすることで、アナログ放送の受信品質を向上させるための装置及び方法に関する。
【背景技術】
【０００２】
最近、地上ディジタル放送が実用化されてきた。将来的には、地上ディジタル放送への移行期間を経て、アナログ放送は、サービスを停止することが予定されている。しかしながら、その移行期間においては、アナログ放送と地上ディジタル放送とを共に受信可能な状態にする必要がある。マンション等の集合住宅や、難視聴地域における住宅の集合、商店街、学校、会社等の複数の端末を有する局所ネットワークを用いたテレビジョン共同受信システムにおいては、各端末において、一斉に、地上ディジタル放送受信装置に切り替えることは困難であり、アナログ放送信号と地上ディジタル放送信号をこの共同受信システムの伝送路に伝搬する必要がある。
【０００３】
一方、テレビジョン放送には、複数の県を受信圏内とする広域放送と、単一の県内を受信可能県内とする県域放送とがある。地上ディジタル放送においても、県域放送についてもアナログ放送と共に地上ディジタル放送の送信が開始され出した。この場合に、県域放送は他県で受信できないように、送出時に指向性を持たせると共に、広域放送信号に比べて送信信号レベルを低くして送信している。
【発明の開示】
【発明が解決しようとする課題】
【０００４】
このため、上記のテレビジョン共同受信システムでの地上ディジタル放送信号の受信レベルに関しては、県域放送信号のレベルは、広域放送信号のレベルに比べて低くなる。一方、テレビジョン共同受信システムでは、地上ディジタル信号とアナログ信号とが混合された後、伝送路の各所に配設されたブースターにより伝送信号が増幅されて各端末に送信されている。このとき、地上ディジタル放送信号とアナログ放送信号との混合率は、それぞれの信号のレベルを減衰器を用いて変化させることで制御されているが、県域放送信号の低いレベルに合せて、地上ディジタル放送信号の割合を大きくとると、ブースターによる増幅により、アナログ放送信号に広域放送信号の増幅歪みが原因のディジタルノイズが重畳されて、アナログ放送の受信品質が低下するという問題がある。逆に、地上ディジタル放送波信号の割合を小さくすると、県域放送信号のレベルが低下して県域放送信号にブロック歪み障害が発生する。
【０００５】
また、フィルタを用いて県域放送信号のレベルを広域放送信号のレベルと一致させることも考えられるが、県域放送信号帯域を隣接した広域放送の１チャネルの放送信号のレベルと一致させ得る程に、急峻なフィルタは得られず、フィルタを用いた場合には、広域放送のうち県域放送帯域に隣接する帯域の信号レベルが減衰しきれず、結局は、この信号レベルと県域放送信号レベルとの差は、補償されずに残ってしまうという問題がある。
【０００６】
一方、下記特許文献に記載されているように、地上ディジタル放送信号の受信レベルがアナログ放送信号の受信レベルに比べて低い場合に、全帯域を一度にブースターにより増幅すると、増幅器の歪みにより受信レベルの低い地上ディジタル放送信号は影響を受ける。この問題を解消するために、地上ディジタル放送信号だけを帯域通過フィルタで分離して、アナログ放送信号とは別に増幅することで地上ディジタル放送信号のレベルとアナログ放送信号のレベルを一致させるブースターが提案されている。
【０００７】
しかしながら、この文献による技術は、地上ディジタル放送信号だけが、そのディジタル放送信号に特有なフェージングやマルチパスにより受信レベルが低下した場合の問題を解消するものであって、アナログ放送の受信品質を向上させ、且つ、県域放送信号を受信可能なように、テレビジョン共同受信システムにおいて、レベルを調整する技術ではない。地上ディジタル放送信号を帯域通過フィルタで抽出して、アナログ放送信号のレベルに合せるのであるが、この文献による技術では、ＲＦ帯域において帯域通過フィルタを用いているので、上記のフィルタを用いる技術と同様に、フィルタの遮断特性を急峻にすることができないので、チャネル単位で地上ディタル放送信号のレベルをアナログ放送信号のレベルに整合させることはできない。
【０００８】
【特許文献１】特開２００３−８９２９号
【０００９】
本発明は、上記の課題を解決するために成されたものであり、広域放送信号と県域放送信号とから成る地上ディジタル放送信号と、アナログ放送信号とを空間電波によりアンテナにより受信して伝送路を介して各端末に供給するテレビジョン共同受信システムにおいて、アナログ放送の受信品質を向上させることを目的とする。
【課題を解決するための手段】
【００１０】
上記課題を解決するための請求項１の発明は、広域放送信号と県域放送信号とから成る地上ディジタル放送信号と、アナログ放送信号とを空間電波によりアンテナにより受信して伝送路を介して各端末に供給するテレビジョン共同受信システムにおいて用いられる地上ディジタル放送信号レベル調整装置において、伝送路から少なくとも地上ディジタル放送信号を含む信号を分岐／分配する分岐／分配器と、分岐／分配された信号をより低い所定の周波数帯域に周波数変換する第１周波数変換装置と、第１周波数変換装置により変換された周波数帯域の信号から県域放送信号のみを抽出するＳＡＷフィルタと、ＳＡＷフィルタにより抽出された県域放送信号をテレビジョン共同受信システムの各端末において受信し得る県域放送信号帯域に周波数変換する第２周波数変換装置と、第２周波数変換装置により周波数変換された県域放送信号帯域を、所定レベルに増幅する増幅器と、増幅器の出力信号を伝送路に重畳する結合／合成器とから成る地上ディジタル放送信号レベル調整装置である。
【００１１】
ここで、テレビジョン共同受信システムは、マンション、地域、学校などのテレビジョン受像器である端末がネットワークで集合されているシステムをいう。空間電波をアンテナで受信して、ネットワークに再送信するシステムであれば、そのシステムには限定されない。また、ディジタル放送やアナログ放送のチャネル数には特に限定されない。
【００１２】
また、アンテナは地上ディジタル放送信号を受信するアンテナと、アナログ放送信号を受信するアンテナと別々に設けても良いし、共通に受信するアンテナを１つ設けても良い。共通に受信するアンテナを設けた場合には、アンテナで受信した後に、地上ディジタル放送信号帯域と、アナログ放送信号帯域とを分波して、複数系統とし、地上ディジタル放送信号帯域が伝搬する系統に、地上ディジタル放送信号レベル調整装置を設けても良い。共通にアンテナを設ける場合には、地上ディジタル放送信号と、アナログ放送信号とが伝搬する伝送路において、地上ディジタル放送信号レベル調整装置を設けても良い。この場合には、分岐／分配器により分岐／分配される信号は、地上ディジタル放送信号とアナログ放送信号とを含む信号であっても良いし、地上ディジタル放送信号のみを分波して分岐／分配するようにしても良い。また、地上ディジタル放送信号だけが伝搬する系統に地上ディジタル放送信号レベル調整装置を設けた場合には、地上ディジタル放送信号が分岐／分配されることになる。したがって、伝送路から少なくとも地上ディジタル放送信号を含む信号を分岐／分配するとは、アナログ放送信号を含んで分岐／分配しても良いし、分岐／分配するのは、地上ディジタル放送信号だけであっても良いという意味である。他の請求項に関しても同一の意味である。
【００１３】
また、第１周波数変換装置により変換される周波数帯域は、受信された県域放送信号の帯域よりも低い任意の周波数帯域であれば良い。一般的には、テレビジョンシステムの中間周波数帯域が用いられる。すなわち、地上ディジタル放送の県域放送信号がこの中間周波数帯域に位置するように周波数変換される。この後、ＳＡＷフィルタにより県域放送信号だけが精度良く抽出される。また、第２周波数変換装置により周波数変換する周波数帯域は、受信時の県域放送信号の帯域と同一帯域であっても、端末で復調可能であれば、異なる帯域であっても良い。第１周波数変換装置と第２周波数変換装置に入力するキャリアの周波数は同一であり、異なる帯域とする場合には、そのキャリアの周波数は異なるものとなる。
【００１４】
請求項２に記載の発明は、広域放送信号と県域放送信号とから成る地上ディジタル放送信号と、アナログ放送信号とを空間電波によりアンテナにより受信して伝送路を介して各端末に供給するテレビジョン共同受信システムにおいて用いられる地上ディジタル放送信号レベル調整装置において、伝送路から少なくとも地上ディジタル放送信号を含む信号を分岐／分配する分岐／分配器と、分岐／分配された信号をより低い所定の周波数帯域に周波数変換する第１周波数変換装置と、第１周波数変換装置により変換された周波数帯域の信号から県域放送信号のみを抽出するＳＡＷフィルタと、ＳＡＷフィルタにより抽出された県域放送信号を所定レベルに増幅する増幅器と、増幅器の出力信号をテレビジョン共同受信システムの各端末において受信し得る県域放送信号帯域に周波数変換する第２周波数変換装置と、第２周波数変換装置の出力信号を伝送路に重畳する結合／合成器とから成る地上ディジタル放送信号レベル調整装置である。
【００１５】
本発明は、請求項１の発明に対して、ＳＡＷフィルタにより県域放送信号だけを抽出して、増幅して、その増幅信号を第２周波数変換装置に伝送路上の周波数帯域に変換して、伝送路に重畳する点のみが異なる。
【００１６】
請求項３の発明は、地上ディジタル放送信号レベル調整装置は、アンテナと、伝送路に挿入されたブースターのうちアンテナに最も近いブースターとの間の伝送路において挿入されることを特徴とする請求項１又は請求項２に記載の地上ディジタル放送信号レベル調整装置である。
すなわち、ブースターに入力される前に、地上ディジタル放送信号レベルを調整する  装置である。
【００１７】
請求項４の発明は、地上ディジタル放送信号レベル調整装置は、アンテナと、地上ディジタル放送信号と前記アナログ放送信号とを混合する混合器との間の伝送路において挿入されることを特徴とする請求項１又は請求項２に記載の地上ディジタル放送信号レベル調整装置である。地上ディジタル放送信号を受信するアンテナとアナログ放送信号を受信するアンテナとを２つ有する場合と、共通のアンテナで受信した後、地上ディジタル放送信号とアナログ放送信号とに分波する場合とがある。その場合に、地上ディジタル放送信号が伝搬する系統に地上ディジタル放送信号レベル調整装置が設けられる。
【００１８】
請求項５の発明は、広域放送信号と県域放送信号とから成る地上ディジタル放送信号と、アナログ放送信号とを空間電波によりアンテナにより受信して伝送路を介して各端末に供給するテレビジョン共同受信方法において、伝送路から少なくとも地上ディジタル放送信号を含む信号を分岐／分配した後、より低い所定の周波数帯域に周波数変換し、その周波数変換された信号から県域放送信号のみをＳＡＷフィルタにより抽出し、テレビジョン共同受信システムにおける県域放送信号帯域に周波数変換して、所定レベルに増幅した後に、伝送路上に重畳することを特徴とするテレビジョン共同受信方法である。
請求項１の発明に対応する方法発明である。
【００１９】
請求項６の発明は、広域放送信号と県域放送信号とから成る地上ディジタル放送信号と、アナログ放送信号とを空間電波によりアンテナにより受信して伝送路を介して各端末に供給するテレビジョン共同受信方法において、伝送路から少なくとも地上ディジタル放送信号を含む信号を分岐／分配した後、より低い所定の周波数帯域に周波数変換し、その周波数変換された信号から前記県域放送信号のみをＳＡＷフィルタにより抽出し、抽出した信号を所定レベルに増幅し、テレビジョン共同受信システムにおける県域放送信号帯域に周波数変換した後に、伝送路上に重畳することを特徴とするテレビジョン共同受信方法である。
請求項２の発明に対応する方法発明である。
【００２０】
請求項７の発明は、分岐／分配及び前記重畳は、アンテナと、伝送路に挿入されたブースターのうちアンテナに最も近いブースターとの間の伝送路において実行されることを特徴とする請求項５又は請求項６に記載のテレビジョン共同受信方法である。
【００２１】
請求項８の発明は、分岐／分配及び重畳は、アンテナと、地上ディジタル放送信号とアナログ放送信号とを混合する混合器との間の伝送路において実行されることを特徴とする請求項５又は請求項６に記載のテレビジョン共同受信方法である。
【発明の効果】
【００２２】
アンテナから受信された少なくとも地上ディジタル放送信号を含む信号の一部が分岐又は分配される。そして、分岐／分配された信号は、県域放送信号が低い所定の帯域、望ましくは、中間周波数帯域に変換されるように周波数変換される。その後、県域放送信号のみがＳＡＷフィルタにより抽出される。この結果、精度良く、地上ディジタル放送の県域放送信号だけを抽出することができる。そして、その信号は、また、高周波帯域に周波数変換されて、所定レベルに増幅される。この結果、県域放送信号は他の広域放送信号のレベルと等しいか、ブースターでの増幅において障害が発生しないレベル差の信号に調整される。したがって、地上ディジタル放送信号のうちの低い県域放送信号のレベルが高いレベルに調整される結果、アナログ放送信号にノイズを発生させることがない。
請求項２の発明は、県域放送信号の増幅が周波数変換された低い所定の周波数帯域において実施されるので、請求項１と同一の効果を発生する。
請求項５、６も方法発明であり、同様に、アナログ放送に雑音の影響を与えないテレビジョン共同受信方法となる。
請求項３、請求項７の発明は、テレビジョン共同受信システムにおいてアンテナに最も近いブースターの前において、本発明のレベル調整が実施されるので、最初のブースターからアナログ放送信号にディジタルノイズを与えることがない。
請求項４、請求項８の発明は、アナログ放送信号と地上ディジタル放送信号とを混合する混合器の前の伝送路において、本発明のレベル調整処理が実施されることから、アナログ放送信号への雑音の影響を最も効果的に排除することができる。
【発明を実施するための最良の形態】
【００２３】
以下、本発明を具体的な実施例に基づいて説明する。ただし、本発明は下記の実施例に限定されるものではない。
図１は、マンション等で用いられているテレビジョン共同受信システムを示した構成図である。地上ディジタル放送信号を受信するためのアンテナ１１と、アナログ放送信号を受信するためのアンテナ１２が設けられており、各アンテナで受信された信号は伝送路１３と伝送路１４を伝搬し、ＵＨＦ帯域の混合器１５により混合される。そして、地上ディジタル放送信号とアナログ放送信号との混合信号は、ブースター１６ａ、１６ｂにより増幅されて、分配器１７、分岐器１８等を用いて各端末１９（テレビジョン受像機）に配信される。また、混合器１５において、地上ディジタル放送信号とアナログ放送信号とが混合される。両信号の信号レベルの調整は、減衰器２１と減衰器２２との減衰率を調整することで実行される。
【００２４】
本発明は、アンテナ１１と減衰器２１との間の伝送路１３において、地上ディジタル放送信号レベル調整装置３０を設けたことが特徴である。この地上ディジタル放送信号レベル調整装置３０は、図２に示す構成をとる。
図２において、伝送路１３には分岐／分配器の一例である分岐器３１と、結合／合成器の一例である方向性結合器３２が設けられている。そして、この分岐器３１と方向性結合器３２の分岐端子間の分岐経路に県域放送のみの信号レベルを増幅する県域放送波シグナルプロセッサ４０が設けられている。県域放送波シグナルプロセッサ４０は、ローカル発振器２３、第１周波数変換器２４、第２周波数変換器２５、それらの変換器の間に配設されたＳＡＷフィルタ２６、増幅器２７とを有している。第１周波数変換器２４は、ローカル発振器２３から所定の周波数の信号を入力して、地上ジィジタル放送信号を所定の中間周波数帯域に周波数遷移させるものである。その中間周波数帯域に変換された地上ディジタル放送信号は、ＳＡＷフィルタ２６により県域放送信号の帯域のみが抽出される。テレビジョンシステムの中間周波数帯域では、ＳＡＷフィルタ２６により急峻に県域放送帯域のみを抽出することができる。次に、ＳＡＷフィルタ２６により抽出された県域放送信号は、ローカル発振器２３からの発振信号を入力して周波数変換する第２周波数変換装置２５により、伝送路１３上の県域放送信号帯域に戻される。次に、その県域放送信号は、方向性結合器３２により伝送路１３上に重畳された後の信号レベルに換算して、広域放送信号波の信号レベルに等しくなるように、利得調整増幅器２７により調整される。そして、増幅された県域放送信号は、結合器３２により伝送路１３上に重畳される。
【００２５】
地上ディジタル放送信号レベル調整装置３０による信号処理の結果を図３に示す。アンテナ１１で受信された地上ディジタル放送信号の受信レベルは、図３の（ａ）に示すように、県域放送信号のレベルは広域放送信号のレベルよりも低い。この県域放送信号だけが増幅器２７で増幅されて結合器３２で伝送路１３上に重畳される結果、図３の（ｃ）に示すように、広域放送信号のレベルと県域放送信号のレベルとを等しくすることができる。
その結果、地上ディジタル放送信号とアナログ放送信号との混合を最適に調整することが可能となり、アナログ放送信号にはディジタルノイズが重畳することがない。
【００２６】
このようにして、本発明では、アナログ放送信号に対してディジタルノイズが添加されることがなく、アナログ放送の受信品質を向上させることができる。
【００２７】
上記実施例では、ＳＡＷフィルタ２６により県域放送信号を抽出する時の周波数帯域はテレビジョンシステムにおける中間周波数帯域としたが、ＳＡＷフィルタ２６により急峻に県域放送信号だけを抽出することができる低い周波数帯域であればその帯域は任意である。
また、県域放送信号は、分岐器３１と結合器３２を通過する経路と、ＳＡＷフィルタ２６を通過する分岐経路とに存在し、後者は前者に対して遅延する。しかし、この遅延時間はガードインターバル内であるので、結合器３２により両者を重畳しても復調エラーは生じない。
アンテナ１１、１２は、地上ディジタル放送信号とアナログ放送信号とを同時に受信できるのであれば、共通に設けても良い。その場合には、地上ディジタル放送信号とアナログ放送信号とを分波器で分波して、図１と同様に構成しても良い。また、分波することなく、図２の伝送路１３に地上ディジタル放送信号とアナログ放送信号とを伝搬するようにしても良い。その場合には、ＳＡＷフィルタ２６によって、県域放送信号だけが抽出される。
上記の実施例において、可変利得増幅器２７は、ＳＡＷフィルタ２６と第２周波数変換器２５との間に設けても良い。
また、ローカル発振器２３を２つ設けて、第２周波数変換器２５による周波数変換は、受信された県域放送信号と同一の帯域でない、共同受信システムの端末で復調可能な帯域とすることができる。
【００２８】
また、一つの広域放送圏において、他の広域放送圏の送信局から送信された広域放送信号が受信される地域が存在する。この場合には、受信レベルの高い自己の広域放送圏における広域放送信号と、受信レベルの低い他の広域放送圏からの広域放送信号が受信されることもある。このような場合に、受信レベルの低い広域放送信号を、本件発明の県域放送信号とし、受信レベルの高い広域放送信号を本件発明の広域放送信号として本件発明を用いれば、受信レベルの低い広域放送信号も復調可能なように調整する場合にも用いることができる。このような場合にも本件発明は適用できるものである。このような異なる放送圏における広域放送信号が受信される場合の対策として、本件発明は用いることも可能であり、その場合において、アナログ放送信号の品質を低下することを防止することができる。
【産業上の利用可能性】
【００２９】
本発明は、広域放送信号と県域放送信号とから成る地上ディジタル放送信号と、アナログ放送信号とを空間電波によりアンテナにより受信して伝送路を介して各端末に供給するテレビジョン共同受信システムにおいて、アナログ放送の受信品質の向上に用いることができる。
【図面の簡単な説明】
【００３０】
【図１】本発明の具体的な実施の形態を示したテレビジョン共同受信システムの構成図。
【図２】本発明の具体的な実施の形態を示した地上ディジタル放送信号レベル調整装置の個性図。
【図３】本実施例装置によりレベル調整される方法を示した説明図。
【符号の説明】
【００３１】
１１，１２…アンテナ
１３…伝送路
１５…混合器
１６ａ、１６ｂ…ブースター
２３…ローカル発振器
２４…第１周波数変換装置
２５…第２周波数変換装置
２６…ＳＡＷフィルタ
３０…地上ディジタル放送信号レベル調整装置
３１…分岐器
３２…方向性結合器
４０…県域放送波シグナルプロセッサ
【図１】
2006179993.tif 000003
【図２】
2006179993.tif 000004
【図３】
2006179993.tif 000005